(57)【要約】【課題】作業が簡単で抗菌性に優れ、葬儀に適した長期間の遺体保存方法および遺体保存システムを提供する。【解決手段】  遺体１を納める柩本体２０に形成された蓋嵌合縁２１に隙間補填材３０を取り付ける第一手順と、いずれかに無光触媒６０が塗布されている脱酸素剤パック４０および複合活性炭パック５０を遺体１が収められた柩本体２０に収納する第二手順と、蓋嵌合縁２１に隙間補填材３０を介して蓋２２を嵌合する第三手順と、から構成し、隙間補填材３０により棺本体２０内の気密性を保ち、脱酸素剤パック４０により棺本体２０内の酸素濃度を低下させて遺体１に繁殖する腐敗菌を不活性化し、無光触媒６０により腐敗菌を分解して除菌し、複合活性炭パック５０により遺体１から発生する腐敗ガスを吸着して脱臭する遺体保存方法を提供する。【選択図】図３
2013017578.tif 000002
【特許請求の範囲】
【請求項１】
遺体を納める柩本体に形成された蓋嵌合縁に隙間補填材を取り付ける第一手順と、
いずれかに無光触媒が塗布されている脱酸素剤パックおよび複合活性炭パックを前記遺体が納められた前記柩本体に収納する第二手順と、
前記蓋嵌合縁に前記隙間補填材を介して蓋を嵌合する第三手順と、から構成し、
前記脱酸素剤パックには、鉄粉と、水、活性炭、バーミキュライト、高吸水性樹脂、塩化カリウムから選ばれる一または二以上とを含ませ、
前記複合活性炭パックには、活性炭繊維、天然ココヤシ活性炭、ゼオライト、酸化亜鉛から選ばれる一または二以上を含ませ、
前記隙間補填材により前記棺本体内の気密性を保ち、前記脱酸素剤パックにより前記棺本体内の酸素濃度を低下させて前記遺体に繁殖する腐敗菌を不活性化し、前記無光触媒により前記腐敗菌を分解して除菌し、前記複合活性炭パックにより前記遺体から発生する腐敗ガスを吸着して脱臭する、
ことを特徴とする遺体保存方法。
【請求項２】
前記蓋には、透明フィルムで覆われた小窓が形成された、
ことを特徴とする請求項１に記載の遺体保存方法。
【請求項３】
遺体が納められ、蓋嵌合縁に隙間補填材が備えられた柩本体と、
前記蓋嵌合縁に隙間補填材を介して嵌合され、透明フィルムで覆われた小窓が形成された蓋と、
前記棺本体に収納された脱酸素剤パックおよび複合活性炭パックと、
前記脱臭素剤パックまたは前記複合活性炭パックのいずれかに塗布された無光触媒と、から構成され、
前記脱酸素剤パックには、鉄粉と、水、活性炭、バーミキュライト、高吸水性樹脂、塩化カリウムから選ばれる一または二以上とが含まれ、
前記複合活性炭パックには、活性炭繊維、天然ココヤシ活性炭、ゼオライト、酸化亜鉛から選ばれる一または二以上が含まれ、
前記隙間補填材により前記棺本体内の気密性が保たれ、前記脱酸素剤パックにより前記柩本体内の酸素濃度が低下して前記遺体に繁殖した腐敗菌が不活性化され、前記無光触媒により前記腐敗菌が分解されて除菌され、前記複合活性炭パックにより前記遺体から発生した腐敗ガスが吸着されて脱臭される、
ことを特徴とする遺体保存システム。
【発明の詳細な説明】
【技術分野】
【０００１】
本発明は、遺体の保存方法および保存システムに関するものである。
【背景技術】
【０００２】
従来から、遺体を火葬するまでの間、遺体の腐敗の進行や臭気の発生を抑制する手段として、ドライアイスによって遺体を冷却する方法が提案されている。しかし、ドライアイスは二酸化炭素を原料としているため地球環境上好ましくない。また、今日の高齢化社会によれば、高齢者の死亡が同時期に偏り、火葬施設の供給限度を超えて火葬までの期間が長期化する可能性がある。
【０００３】
そこで、ドライアイスを用いずに遺体の腐敗を遅延させる有機体収納袋が下記特許文献１に提案されている。
【０００４】
上記の有機体収納袋は、遺体を出し入れするための開閉可能な開口を有する透明な袋本体、上記袋本体の内部の脱気処理を行うために上記袋本体に設けられた脱気口、および上記袋本体に入れた遺体から生じるガスの臭気強度を低下させ外部に排出するために上記袋本体に設けられた開閉可能な活性炭筒からなり、上記袋本体内部に脱酸素剤、アルコール揮散剤が備えられている。
【０００５】
そして、この有機体収納袋を用いた遺体の腐敗遅延および臭気制御方法は、袋本体に設けられた開口から遺体を入れて開口を閉じ、上記脱気口を使用して袋本体内部の脱気処理を行い、袋本体内部に備えられた脱酸素剤により袋本体内部の酸素を除去し、アルコール揮散剤により除菌し、遺体の腐敗を抑制して遺体よりガスが生じると活性炭筒を通してガスを排出することにより臭気を抑制している。
【先行技術文献】
【特許文献】
【０００６】
【特許文献１】特開２００７−１１１４９８号公報
【発明の概要】
【発明が解決しようとする課題】
【０００７】
しかし、上記した有機体収納袋、遺体の腐敗遅延および臭気制御方法においては、以下のような課題がある。この遺体の腐敗遅延および臭気制御方法によれば、ビニールなどの袋内部の空気を掃除機などによって脱気口から脱気し、また、遺体から発生した腐敗ガスを、活性炭筒を通して排出する必要がある。このようなビニール袋などによる遺体の保存は遺族に好まれないこと、納棺後に掃除機などで脱気処理を行う手間が発生すること、参列者が活性炭筒により完全に吸着しきれずに排出された腐敗ガスにさらされる場合があること、さらには、アルコール揮散剤で抗菌しているため火葬時に引火することなどを考慮すると、葬儀に適していない。
【０００８】
本発明は、上記の実情に鑑みて提案されたものである。すなわち、作業が簡単で抗菌性に優れ、遺体を長期間保存することができ、葬儀に適した遺体保存方法および遺体保存システムの提供を目的とする。
【課題を解決するための手段】
【０００９】
上記目的を達成するために、本発明は、体を納める柩本体に形成された蓋嵌合縁に隙間補填材を取り付ける第一手順と、いずれかに無光触媒が塗布されている脱酸素剤パックおよび複合活性炭パックを前記遺体が納められた前記柩本体に収納する第二手順と、前記蓋嵌合縁に前記隙間補填材を介して蓋を嵌合する第三手順と、から構成し、前記脱酸素剤パックには、鉄粉と、水、活性炭、バーミキュライト、高吸水性樹脂、塩化カリウムから選ばれる一または二以上とを含ませ、前記複合活性炭パックには、活性炭繊維、天然ココヤシ活性炭、ゼオライト、酸化亜鉛から選ばれる一または二以上を含ませ、前記隙間補填材により前記棺本体内の気密性を保ち、前記脱酸素剤パックにより前記棺本体内の酸素濃度を低下させて前記遺体に繁殖する腐敗菌を不活性化し、前記無光触媒により前記腐敗菌を分解して除菌し、前記複合活性炭パックにより前記遺体から発生する腐敗ガスを吸着して脱臭することを特徴とする遺体保存方法を提供する。
【００１０】
また、前記蓋には、透明フィルムで覆われた小窓が形成されたことを特徴としている。
【００１１】
また、遺体が納められ、蓋嵌合縁に隙間補填材が備えられた柩本体と、前記蓋嵌合縁に隙間補填材を介して嵌合され、透明フィルムで覆われた小窓が形成された蓋と、前記棺本体に収納された脱酸素剤パックおよび複合活性炭パックと、前記脱臭素剤パックまたは前記複合活性炭パックのいずれかに塗布された無光触媒と、から構成され、前記脱酸素剤パックには、鉄粉と、水、活性炭、バーミキュライト、高吸水性樹脂、塩化カリウムから選ばれる一または二以上とが含まれ、前記複合活性炭パックには、活性炭繊維、天然ココヤシ活性炭、ゼオライト、酸化亜鉛から選ばれる一または二以上が含まれ、前記隙間補填材により前記棺本体内の気密性が保たれ、前記脱酸素剤パックにより前記柩本体内の酸素濃度が低下して前記遺体に繁殖した腐敗菌が不活性化され、前記無光触媒により前記腐敗菌が分解されて除菌され、前記複合活性炭パックにより前記遺体から発生した腐敗ガスが吸着されて脱臭されることを特徴とする遺体保存システムを提供する。
【発明の効果】
【００１２】
作業が簡単で抗菌性に優れ、葬儀に適した遺体保存方法および遺体保存システムにより、遺体を長期間保存することができる。
【図面の簡単な説明】
【００１３】
【図１】本発明に係る遺体保存方法の一実施形態の第一手順を示す斜視図である。
【図２】本発明に係る遺体保存方法の一実施形態の第二手順を示す斜視図である。
【図３】本発明に係る遺体保存方法の一実施形態の第三手順を示す斜視図である。
【発明を実施するための形態】
【００１４】
以下に、本発明に係る遺体保存システムの実施形態を図面に基づいて説明する。
【００１５】
本実施形態に係る遺体保存システム１０は、遺体１が納棺される柩本体２０と、この柩本体２０の蓋２２と、柩本体２０と蓋２２との間に備えられた隙間補填材３０と、柩本体２０に収納された脱酸素剤パック４０および複合活性炭パック５０と、この脱酸素剤パック４０に塗布された無光触媒６０とから構成されている（図３参照）。
【００１６】
柩本体２０は、略直方体に形成され、底面と向かい合う上面側が開放され、開放された縁に蓋嵌合縁２１が形成されている（図１参照）。柩本体２０は、蓋２２が蓋嵌合縁２１に嵌合されて閉じられる。蓋２２には、観音開きの小窓２３が、遺体の顔面と向き合う位置に設けられている。小窓２３の開口部には、有機性の透明フィルム２４が備えられている（図３参照）。
【００１７】
柩本体２０の蓋嵌合縁２１と蓋２２との間には、例えば、独立気包で構成された有機性クッション材（ポリウレタンフォームテープ）などの隙間補填材３０が備えられ（図１参照）、この隙間補填材３０により外気の流入が遮られ、柩本体２０の気密状態が保たれている。ポリウレタンフォームテープは、例えば、一方の面にポリウレタンフィルムを介してアクリル系粘着剤シートが備えられたポリウレタンフォームから構成されている。アクリル系粘着剤シートの接着面は剥離紙によって被服されている。
【００１８】
脱酸素剤パック４０は、柩本体２０内の酸素濃度を下げて、不活性化させて遺体１に好気性菌などの腐敗菌が発生するのを抑制する。脱酸素剤パック４０の成分は、鉄粉、水、活性炭、バーミキュライト、高吸水性樹脂、および塩化カリウムから構成されている。
【００１９】
鉄粉は、多孔質構造のバーミキュライトや高吸水性樹脂に保水された水、塩化カリウムによって酸化が促進され、柩本体２０内の酸素を吸収する。活性炭は、柩本体２０内で酸素を吸着しつつ遺体１から発生する腐敗ガスも吸着するため、消臭効果を有する。
【００２０】
無光触媒６０は、リン酸チタニウム系化合物から構成されている。蓋２２が閉じられた柩本体２０内は外部からの光が遮られる。しかし、リン酸チタニウム系化合物は、光（紫外線）が照射されなくても、空気触媒として僅かな酸素、水と反応し、柩本体２０内で酸化還元を促して腐敗菌を分解する。また、リン酸チタニウム系化合物は硫化水素などを分解して柩本体２０内を浄化するため消臭効果も有する。無光触媒６０は、脱酸素剤パック４０にスプレー塗布や浸漬などによって被膜される。なお、無光触媒６０は、脱酸素剤パック４０および複合活性炭パック５０のいずれに塗布してもよい。
【００２１】
複合活性炭パック５０は、柩本体２０内で遺体から発生する多種の腐敗ガス、例えば、メチルメルカプタン、トリメチルアミン、硫化水素、アンモニアなどを吸着し、柩本体２０内を脱臭する。複合活性炭パック５０の成分は、活性炭繊維、天然ココヤシ活性炭、ゼオライト、酸化亜鉛、から構成されている。
【００２２】
天然ココヤシ活性炭は、ガスや薬品などによる賦活工程を経ることにより、石炭、木炭などと比べてミクロ孔が多い多孔質構造であり、したがって表面積が大きく、特にアンモニア、メチルメルカプタン、硫化水素の吸着性能が優れている。ゼオライトは、アルミニウム（Ａｌ）とケイ素（Ｓｉ）とが酸素（Ｏ）を介して網目状に結合された結晶であり、多孔質構造であるため、腐敗ガスの吸着性能が優れている。また、ゼオライトには、天然、人工の多種のものを用いることができる。なお、ゼオライトに、抗菌性がある銀（Ａｇ）イオン、銅（Ｃｕ）イオンを担持させて抗菌作用を備えさせることもできる。酸化亜鉛は、銀、銅、亜鉛等の無機系抗菌剤に代えることもできる。
【００２３】
脱酸素剤パック４０と複合活性炭パック５０との外装は、通気性のあるメッシュ生地の不織布で構成されている。
【００２４】
以上のようにして、遺体保存システム１０が構成される。
【００２５】
次に、本発明に係る遺体保存方法の実施形態について説明する。
【００２６】
図１において、第一手順では、アクリル系粘着剤シートから剥離紙を剥離したポリウレタンフォームテープを、柩本体２０の蓋嵌合縁２１に沿って弛まないように直線に貼付し、押さえつけて蓋嵌合縁２１に接着する。ポリウレタンフォームテープの添付後、遺体１を柩本体２０に納棺する。
【００２７】
図２において、第二手順では、脱酸素剤パック４０を、無光触媒６０が塗布された側の面を表にして遺体１の略中央部に身長に沿って２枚並べて配置する。その際、脱酸素剤パック４０の酸素吸着効果を高めるため、遺体に掛けられた図示しない布団の上に配置することが好ましい。次に、脱酸素剤パック４０の上から複合活性炭パック５０を遺体１の首よりも少し下と下腹部にそれぞれ配置する。なお、脱酸素剤パック４０には、無光触媒６０の塗布面がわかるように目印が付されている。
【００２８】
図３において、第三手順では、蓋２２を柩本体２０の蓋嵌合縁２１に嵌合する。蓋嵌合縁２１には、ポリウレタンフォームテープが貼付されているため、蓋２２との間に隙間が生じることがなく、柩本体２０内の気密状態が維持される。蓋２２に設けられた小窓２３は、開口部に有機性の透明フィルム２４を備えているため、開けても気密状態が維持され、弔いの際に遺体１と対面することができる。
【００２９】
遺体１は、好気性の腐敗菌が酸素呼吸することにより侵食され、死後数時間後に腐敗ガスを発生する。しかし、気密状態が維持された柩本体２０内では、脱酸素剤パック４０により酸素濃度が低下し、不活性化されて腐敗菌の繁殖が抑制される。さらに、柩本体２０内では、脱酸素剤パック４０により酸素濃度が低下しているが、無光触媒６０による酸化還元に必要な最低限の酸素が残存しているため、脱酸素剤パック４０に塗布された無光触媒６０が腐敗菌を分解して除菌する。このように、腐敗菌は繁殖が抑制されつつ分解されるため、腐敗ガスの発生が抑制される。また、僅かに発生した腐敗ガスは、複合活性炭パック６０により吸着され、柩本体２０内が脱臭される。
【００３０】
上記のように、本発明に係る遺体保存方法および遺体保存システム１０は、作業が簡単で抗菌性に優れ、よって葬儀に適しており、遺体を長期間保存することができる。また、脱酸素剤パック４０に無光触媒６０が塗布されているため、光が照射されない柩本体２０内であっても腐敗菌を分解し除菌することができる。また、本実施形態では、上記構成により冷却によらず腐敗菌の繁殖を抑制するため、ドライアイス等の冷却手段を必要とせず、遺体１を自然に近い状態で長期間保存することができる。なお、ドライアイス等の冷却手段を併用することもできる。
【００３１】
また、蓋２２には、有機性の透明フィルム２４で覆われた小窓２３が形成されているため、小窓２３を開けても柩本体２０内の気密状態が維持されつつ、弔いの際に遺体１と対面することができる。
【００３２】
本実施形態では、遺体１が人間であるが、ペットなどの動物であってもよい。この場合は、柩本体、蓋の大きさを適宜変更する。また、人間、動物にかかわらず遺体の大きさに応じて脱酸素剤パック、複合活性炭パック、無光触媒のそれぞれの使用量を適宜変更することができる。
【００３３】
次に、本発明の実施例について説明する。
【００３４】
柩本体：（Ｈ）３５０ｍｍ×（Ｗ）１８００ｍｍ×（Ｄ）４７０ｍｍ
ポリウレタンフォームテープ：ポリウレタンフォーム（Ｈ）６ｍ×（Ｗ）１５ｍｍ×（Ｄ）６ｍｍ、ポリウレタンフィルム、アクリル粘着剤、剥離紙
脱酸素剤パック３３５ｇ×２：鉄粉、水、活性炭、パーミキュライト、高吸水性樹脂、塩化カリウム、メッシュ生地不織布（Ｈ）３００ｍｍ×（Ｗ）４００ｍｍ
リン酸チタニウム系化合物：０．９ｇ（脱酸素剤パック１個につき０．４５ｇ）
複合活性炭パック１６０ｇ×２：天然ココヤシ活性炭７５ｇ、ゼオライト５８ｇ、無機抗菌剤（亜鉛）１７ｇ、活性炭繊維シート１０ｇ（Ｈ）１５０ｍｍ×（Ｗ）４００ｍｍ、メッシュ生地不織布（Ｈ）１５０ｍｍ×（Ｗ）４００ｍｍ
測定器：株式会社ガステック製検知管
【００３５】
ここに遺体を納棺し保存した。その結果を下表１および２に示す。通常、死亡から２４時間経過後、遺体の腐敗防止のためにホルマリンの注入を行うが、実施例によれば、死亡から３８時間経過後であっても腐敗ガスは検出されなかった。その後、死亡から５１時間経過後であっても腐敗ガスは検出されず、ホルマリンを注入することなく保存することができた。
【００３６】
【表１】
2013017578.tif 000003
【００３７】
【表２】
2013017578.tif 000004
【００３８】
次に、本発明の他の実施例について説明する。
【００３９】
水槽：（Ｈ）３５５ｍｍ×（Ｗ）５９０ｍｍ×（Ｄ）２９０ｍｍ
脱酸素剤パック３３５ｇ×１パック：鉄粉、水、活性炭、バーミキュライト、高吸水性樹脂、塩化カリウム、メッシュ生地不織布（Ｈ）３００ｍｍ×（Ｗ）４００ｍｍ
リン酸チタニウム系化合物：０．４５ｇ
複合活性炭パック１６０ｇ×１パック：天然ココヤシ活性炭７５ｇ、ゼオライト５８ｇ、無機抗菌剤（亜鉛）１７ｇ、活性炭繊維シート１０ｇ（Ｈ）１５０ｍｍ×（Ｗ）４００ｍｍ、メッシュ生地不織布（Ｈ）１５０ｍｍ×（Ｗ）４００ｍｍ
試料：豚肉１２０ｇ、牛ホルモン６０ｇ
比較例１：複合活性炭パックおよび脱酸素剤パックを使用しない場合
比較例２：複合活性炭パックのみを使用した場合
実施例１：複合活性炭パックおよび脱酸素剤パック（無光触媒を塗布）を使用した場合
測定器：株式会社ガステック製検知管および気体検知器
【００４０】
上記の資料を水槽内に入れて蓋をし、脱臭効果と酸素除去効果を検証するべく、平成２３年４月８日を１日目として２４時間ごとの各気体成分濃度を計測した。その結果を下表３ないし６に示す。なお、表中の「−」は測定値が測定範囲を下回り測定不能であることを示す。
【００４１】
【表３】
2013017578.tif 000005
【００４２】
【表４】
2013017578.tif 000006
【００４３】
【表５】
2013017578.tif 000007
【００４４】
【表６】
2013017578.tif 000008
【００４５】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４６】
１            遺体
１０          遺体保存システム
２０          柩本体
２１          蓋嵌合縁
２２          蓋
２３          小窓
２４          透明フィルム
３０          隙間補填材
４０          脱酸素剤
５０          複合活性炭
６０          無光触媒
【図１】
2013017578.tif 000009
【図２】
2013017578.tif 000010
【図３】
2013017578.tif 000011